(57)【要約】【課題】床面用の主清掃面部と隙間用の副清掃面部を備えた清掃具を提供する。【解決手段】柄部の先端に取り付けた清掃体部３は、片側面を高くした硬質の合成樹脂材から成る矩形状の基体部３ａと、この基体部３ａの底面と片側面を覆うように接着した柔軟性、弾発性を有する合成樹脂材から成る摺掃部３ｂとから構成されている。摺掃部３ｂの主面部３ｋから折曲部３ｌを起立させた後に、主面部３ｋの表面を基体部３ａの底面部３ｊに、折曲部３ｌの表面を基体部３ａの高側面部３ｆに固定する。清掃シートＳを清掃体部３に取り付け、掃除個所に応じて主清掃面部３ｎ又は副清掃面部３ｏの何れかを下方に向けた状態にして、清掃を行う。【選択図】図２
2018201712.tif 000002
【特許請求の範囲】
【請求項１】
棒状の柄部と、該柄部の先端に連結部を介して取り付けた清掃体部とから構成され、該清掃体部を覆うように清掃シートを取り付ける清掃具であって、
前記清掃体部は、一方の側面部である高側面部を他方の側面部である低側面部より高くした矩形状の基体部と、該基体部の底面部及び前記高側面部に固定した柔軟性、弾発性を有する摺掃部とから成り、
前記基体部の表面には、前記高側面部に連なる斜面部を設けたことを特徴とする清掃具。
【請求項２】
前記基体部の表面には、前記低側面部に連なる平面部を設けたことを特徴とする請求項１に記載の清掃具。
【請求項３】
前記基体部の表面の四隅には係止穴部が配置され、該係止穴部に配置した鋸歯状の破断部に前記清掃シートを挟み込むことによって、清掃シートを前記清掃体部に取り付けることを特徴とする請求項１又は請求項２に記載の清掃具。
【請求項４】
前記摺掃部は溝部を有し、板体状から前記溝部により折曲して主面部から折曲部を起立させて、前記主面部の表面を前記底面部に、前記折曲部の表面を前記高側面部に固定したことを特徴とする請求項１〜３の何れか１項に記載の清掃具。
【請求項５】
前記主面部の底面側の主清掃面部及び前記折曲部の底面側の副清掃面部には、前記摺掃部の長手方向に沿って多数本の突条部が設けられていることを特徴とする請求項４に記載の清掃具。
【請求項６】
前記主清掃面部の横幅と前記副清掃面部の横幅の比は、４対１程度であることを特徴とする請求項５に記載の清掃具。
【請求項７】
前記傾斜部は水平に対して、傾斜角が１０度〜３０度の範囲であることを特徴とする請求項１〜５の何れか１項に記載の清掃具。
【発明の詳細な説明】
【技術分野】
【０００１】
本発明は、清掃シートを装着し、床面や隙間に溜まった塵埃の拭き取りを行う清掃具に関するものである。
【背景技術】
【０００２】
特許文献１には、柄部の先端に取り付けたモップ本体の底面に、不織布シートが巻き付けられた清掃用具が開示されている。そして、モップ本体の上面にはシート装着具が角部の４個所に設置されており、これらのシート装着具のスリットに、不織布シートを噛み込ませることで、不織布シートがモップ本体に保持されている。
【先行技術文献】
【特許文献】
【０００３】
【特許文献１】登録実用新案公報第３０２２６７５号公報
【発明の概要】
【発明が解決しようとする課題】
【０００４】
しかし、この特許文献１に記載の清掃用具では、床面や机の下等を拭くことは容易であるが、家具と壁面の隙間等の狭い個所については、モップ本体を挿入して清掃することができないという問題がある。
【０００５】
そこで、狭い個所にも対応するモップ本体の短手方向である縦幅をより狭くした専用の清掃用具を製作することができるが、モップ本体の底面である清掃面の面積が従来よりも狭くなり、清掃効率が低下することになる。
【０００６】
これに対して、清掃面の面積を確保するために、モップ本体の長手方向である横幅を長くして清掃効率を確保することも可能である。しかし、使い勝手が悪くなると共に、特許文献１に示した汎用式の清掃用具に取り付け可能で、広く流通している清掃シートを取り付けることができなくなるという問題も生ずる。このような場合には、モップ本体に合った専用の清掃シートを別途に用意する必要がある。
【０００７】
本発明の目的は、上述の課題を解消し、床面用と隙間用との清掃面部を設けることで、床面に対しては清掃効率を低下させずに清掃し、家具と壁面の隙間等に対しては隙間に入り込んで清掃することが可能であって、広く流通している清掃シートを取り付けることが可能な清掃具を提供することにある。
【課題を解決するための手段】
【０００８】
上記目的を達成するための本発明に係る清掃具は、棒状の柄部と、該柄部の先端に連結部を介して取り付けた清掃体部とから構成され、該清掃体部を覆うように清掃シートを取り付ける清掃具であって、前記清掃体部は、一方の側面部である高側面部を他方の側面部である低側面部より高くした矩形状の基体部と、該基体部の底面部及び前記高側面部に固定した柔軟性、弾発性を有する摺掃部とから成り、前記基体部の表面には、前記高側面部に連なる斜面部を設けたことを特徴とする。
【発明の効果】
【０００９】
本発明に係る清掃具によれば、広い床面に対しては、主清掃面を下方に向けた状態で、狭い隙間に対しては、副清掃面を下方に向けた状態で掃除することが可能となり、掃除個所に応じて適宜に使い分けて掃除することができる。また、床面と接していない清掃面を用いて、側方側も併せて清掃することが可能である。
【図面の簡単な説明】
【００１０】
【図１】実施例の清掃具の斜視図である。
【図２】主清掃面を下方に向けた状態の清掃体部の斜視図である。
【図３】副清掃面を下方に向けた状態の清掃体部の斜視図である。
【図４】摺掃部の側面図である。
【図５】清掃シートを取り付けた清掃具の側面図である。
【図６】家具と壁面の隙間に清掃具に挿し込んだ状態の清掃具である。
【発明を実施するための形態】
【００１１】
本発明を図示の実施例に基づいて詳細に説明する。
図１は本実施例の清掃具の斜視図、図２は主清掃面を下方に向けた状態の清掃部の斜視図、図３は副清掃面を下方に向けた状態の清掃部の斜視図である。
【００１２】
実施例の清掃具１は、棒状の柄部２と、この柄部２の先端に取り付けた清掃体部３とから構成されており、清掃体部３は柄部２に対して連結部４により自在な方向に回動可能に連結されている。図１においては柄部２を一部省略しているが柄部２の長さは例えば１．５ｍ程度であり、清掃体部３の大きさは例えば横幅２５ｃｍ、縦幅８ｃｍ、高さ３ｃｍ程度である。
【００１３】
清掃体部３は、片側面を高くした硬質の合成樹脂材から成る矩形状の基体部３ａと、この基体部３ａの底面と片側面を覆うように接着した発泡ＥＶＡ、ウレタン樹脂等の柔軟性、弾発性を有する合成樹脂材から成る摺掃部３ｂとから構成されている。そして、板体状である摺掃部３ｂを取り囲むように、不織布等から成る清掃シートＳを取り付けるようになっている。
【００１４】
柄部２は、アルミニウム等の軽量の金属や硬質の合成樹脂等の筒体から成る柄基体部２ａと、柄基体部２ａの上端に取り付けたゴム等の滑り難い素材から成る把持部２ｂとから構成される。また、把持部２ｂは硬質の合成樹脂又は軟質の合成樹脂から成り、表面に滑り難くするための凹凸加工等の滑り止め加工を施したものであってもよい。
【００１５】
把持部２ｂの最上端には引掛孔２ｃが設けられており、柄基体部２ａの下端は連結部４の連結筒部に取り外し自在に嵌合する挿込部２ｄとされている。この挿込部２ｄには突起２ｅが設けられている。
【００１６】
基体部３ａの表面の中央に、連結部４が構設されており、この連結部４には、半円状の一対の起立片４ａが基体部３ａ上の長手方向に、間隔をあけて配置されている。これらの起立片４ａ間には、円筒状の回動部４ｂが基体部３ａの長手方向を軸として回動自在に軸支され、回動部４ｂの表面の一部から環部４ｃが外方に突出されている。
【００１７】
環部４ｃは偏平方向を基体部３ａの長手方向に向けた半円環状とされており、環部４ｃには柄部２の挿込部２ｄを挿し込む連結筒部４ｄの先端が、基体部３ａの短手方向を軸として回動自在に取り付けられている。
【００１８】
連結筒部４ｄの上端には、挿込部２ｄの突起２ｅを係止する係止孔４ｅが設けられており、挿込部２ｄに設けた突起２ｅを押し込むことにより、柄部２を清掃体部３から取り外すことができる。
【００１９】
連結筒部４ｄの下端には、環部４ｃを挟み込む取付溝部４ｆが形成され、この取付溝部４ｆを横切る軸が環部４ｃに挿通され、連結筒部４ｄは環部４ｃに対し取付溝部４ｆの切込方向に回動する。
【００２０】
このように、回動部４ｂが基体部３ａの長手方向に平行な軸を中心に回動し、連結筒部４ｄは回動部４ｂの軸と直交する軸を中心に回動するので、連結部４は自在継手のように、柄部２に対して清掃体部３を任意の方向に向ける機能を有することになる。なお、連結部４を構成する起立片４ａ、回動部４ｂ、環部４ｃ、連結筒部４ｄは、共に基体部３ａと同様に硬質の合成樹脂材から構成されている。
【００２１】
基体部３ａの表面の四隅には係止穴部３ｃが設けられており、これらの係止穴部３ｃには、柔軟な合成樹脂から成る薄肉部３ｄが取り付けられている。薄肉部３ｄには鋸歯状の破断部３ｅが形成されており、清掃シートＳの一部を基体部３ａの表面側から破断部３ｅに押し込んで、清掃シートＳを固定できるようになっている。
【００２２】
この押し込みにより、基体部３ａに清掃シートＳを係止し、また清掃シートＳを破断部３ｅから引き抜くことにより、清掃シートＳを容易に取り外すことが可能である。
【００２３】
また、基体部３ａの表面の長手方向の一方の側面部は、例えば高さ２ｃｍの高側面部３ｆとされている。また、他側の側面部は高さが０．５ｃｍ程度の低側面部３ｇとされている。
【００２４】
そして、基体部３ａの長手方向に沿った中央線に対して、高側面部３ｆ側は、高側面部３ｆと連なる斜面部３ｈとされ、この斜面部３ｈは水平に対して傾斜角が例えば２０度であり、傾斜角が１０度〜３０度の範囲で適宜の斜面部３ｈを採用することが好ましい。
【００２５】
基体部３ａの低側面部３ｇ側は、低側面部３ｇと連なる水平状の平面部３ｉとされており、斜面部３ｈの長手方向に一対の係止穴部３ｃが配置され、平面部３ｉの長手方向に一対の係止穴部３ｃが配置されている。
【００２６】
また、基体部３ａに平面部３ｉを設けずに、高側面部３ｆと低側面部３ｇとの間に、斜面部３ｈのみ配置する構造にしてもよい。このような場合は、斜面部３ｈの四隅に係止穴部３ｃ、中央に連結部４を設けることになり、傾斜角が１０度〜３０度の範囲で適宜の斜面部３ｈを採用することになる。
【００２７】
図４は板体状である摺掃部３ｂの側面図であり、摺掃部３ｂは厚さ５ｍｍ程度とされ、基体部３ａの底面部３ｊに接する主面部３ｋと高側面部３ｆに接する折曲部３ｌとの間に、摺掃部３ｂの長手方向に沿うように、Ｖ字状の溝部３ｍが設けられている。
【００２８】
また、主面部３ｋの底面側の主清掃面部３ｎ及び折曲部３ｌの底面側の副清掃面部３ｏには、摺掃部３ｂの長手方向に沿って多数本の突条部３ｐが設けられており、主面部３ｋの中央に位置する突条部３ｐほど、その高さは一様に高くなっている。
【００２９】
図５に示すように溝部３ｍにより折曲し、主面部３ｋから折曲部３ｌを起立させた後に、主面部３ｋの表面を底面部３ｊに、折曲部３ｌの表面を高側面部３ｆに、接着剤等を用いて固定する。
【００３０】
主清掃面部３ｎの大きさは、基体部３ａの底面部３ｊよりも若干大きくされ、主清掃面部３ｎは底面部３ｊよりも外側にはみ出している。同様に、副清掃面部３ｏの大きさも、基体部３ａの高側面部３ｆよりも若干大きくされ、副清掃面部３ｏは高側面部３ｆよりも外側にはみ出している。なお、基体部３ａと摺掃部３ｂとが当接する個所には、適宜に凹凸形状を設けて、当接面積を増やすことで双方の接着効果を高めるようにしてもよい。
【００３１】
清掃具１の使用に際しては、先ず市販の横３０ｃｍ、縦２０ｃｍ、厚み０．５ｍｍ程度の不織布から成る清掃シートＳの端部を、図５に示すように破断部３ｅに、拡開しながら指で押し込んで、清掃シートＳを清掃体部３を覆うように固定する。清掃シートＳを破断部３ｅで強固に挟み込むことで、清掃シートＳが清掃体部３から容易に外れなくなる。
【００３２】
また、斜面部３ｈの破断部３ｅは、斜めになっているため副清掃面部３ｏを覆った清掃シートＳを容易に押し込むことができる。更に、斜面部３ｈの係止穴部３ｃは平面部３ｉの係止穴部３ｃに比べて穴の深さが深いため、清掃シートＳの清掃体部３に対する取り付け具合を調整し易い。清掃シートＳが適度な張力を保った状態で清掃体部３に取り付けることで、効率的に塵芥を捕集することが可能となる。
【００３３】
そして、床等の広い平面に対しては、主清掃面部３ｎを下方に向けた状態で清掃体部３を前後左右に動かすことで、主として突条部３ｐ間の溝に埃や毛髪等の塵芥が引っ掛かり清掃することが可能である。なお、前述の中央に位置する突条部３ｐほど高さを高くすることで、より多くの塵芥が突条部３ｐ間に引っ掛かることになる。
【００３４】
また、図６に示すように、家具Ｋと壁Ｗとの狭い隙間を掃除する場合には、副清掃面部３ｏを下方に向けた状態で清掃体部３を隙間に挿し込んで、矢印の方向に動かすことで清掃することができる。この場合には、主清掃面部３ｎによって側方も併せて清掃することも可能である。なお、主清掃面部３ｎの横幅と副清掃面部３ｏの横幅の比は、４対１程度が好ましい。
【００３５】
清掃シートＳに十分な塵芥が付着すると、清掃シートＳを取り外して破棄する。また、副清掃面部３ｏが汚れていない場合には、一旦、清掃シートＳを取り外し、前後を入れ換えて再度取り付けるようにしてもよいし、表面が汚れた場合には裏面を利用するようにしてもよい。また、この清掃具１を使用しないときは、壁等に設けた釘に柄部２の引掛孔２ｃを引っ掛けて保管することが可能である。
【００３６】
このように広い床面に対しては、図２に示すように主清掃面部３ｎを下方に向けた状態で、狭い隙間に対しては、図３に示すように副清掃面部３ｏを下方に向けた状態で掃除することが可能となり、掃除個所に応じて適宜に使い分けて掃除することができる。また、このとき床面と接していない清掃面を用いて、側方側も併せて清掃することが可能である。
【００３７】
また、実施例の清掃具１は、広く流通している形状の清掃シートＳを取り付け可能であるため、清掃シートＳを使い切った際でもスーパー等で清掃シートＳを容易に入手することができる。
【符号の説明】
【００３８】
１  清掃具
２  柄部
３  清掃体部
３ａ  基体部
３ｂ  摺掃部
３ｃ  係止穴部
３ｄ  薄肉部
３ｅ  破断部  
３ｆ  高側面部
３ｇ  低側面部
３ｈ  斜面部
３ｉ  平面部
３ｊ  底面部
３ｋ  主面部
３ｌ  折曲部
３ｍ  溝部
３ｎ  主清掃面部
３ｏ  副清掃面部
３ｐ  突条部
４  連結部
Ｓ  清掃シート
【図１】
2018201712.tif 000003
【図２】
2018201712.tif 000004
【図３】
2018201712.tif 000005
【図４】
2018201712.tif 000006
【図５】
2018201712.tif 000007
【図６】
2018201712.tif 000008